(57)【要約】      （修正有）【課題】重量物を収容する把手付包装箱の組立時の固定性を高め、把手の強化を図る。【解決手段】この考案の包装箱は、平面視平行に相対する前後壁３ａを含む周壁と底板９とを連設して角筒状の本体部を折曲げ形成し、上記前後壁３ａの上端に内向きに折曲げられて本体部の上部を覆う天板１３ａを連設し、各天板１３ａの先端に上向きに折曲げ形成されて重ね合わせられる把手孔１７ａ，１７ｂ付の把手１６ａ，１６ｂを備え、上記把手１６ａ，１６ｂの一方の把手孔１７ｂの下側の基端部を切残して組立時に他方の把手孔１７ａの基端部に挿通されるカバー部１８を設けた把手付包装箱であって、上記カバー部１８の挿通時にカバー部１８の基端部両端が上記他方の把手孔１７ａの基端部に係脱可能に係止される機構としている。【選択図】図１
0003220973.tif 000002
【実用新案登録請求の範囲】
【請求項１】
平面視平行に相対する前後壁（３ａ），（３ｂ）を含む周壁と底板（９）とを連設して角筒状の本体部（２）を折曲げ形成し、上記前後壁（３ａ），（３ｂ）の上端に内向きに折曲げられて本体部（２）の上部を覆う天板（１３ａ），（１３ｂ）を連設し、各天板（１３ａ），（１３ｂ）の先端に上向きに折曲げ形成されて重ね合わせられる把手孔（１７ａ），（１７ｂ）付の把手（１６ａ），（１６ｂ）を備え、上記把手（１６ａ），（１６ｂ）の一方の把手孔（１７ｂ）の下側の基端部を切残して組立時に他方の把手孔（１７ａ）の基端部に挿通されるカバー部（１８）を設けた把手付包装箱であって、上記カバー部（１８）の挿通時にカバー部（１８）の基端部両端が上記他方の把手孔（１７ａ）の基端部に係脱可能に係止される機構とした把手付包装箱。
【請求項２】
カバー部（１８）を形成する切込線の切残し端を互に内向きに湾曲又は屈曲させてくびれ部（１９）を形成することによりカバー部（１８）の基端部側の左右幅を他方の把手孔（１７ａ）の基端部の左右幅より大きく形成して係止部とした請求項１に記載の把手付包装箱。
【請求項３】
前後の天板（１３ａ），（１３ｂ）の上端が山形に屈曲した状態で突合わされ、カバー部（１８）の切込線の左右の切残し端の間を上記天板の突合せ面と重なる山形の折目（１５ｃ）とし、組立時にカバー部が他方の天板（１３ａ），（１３ｂ）の上面に沿って重なり合う構造とした請求項１又は２に記載の把手付包装箱。
【請求項４】
カバー部（１８）に対して一方の把手部（１６ｂ）を折曲げた際に、把手孔（１７ａ），（１７ｂ）の左右の内周縁とカバー部（１８）の左右の外周縁の外形が、切込線の終端を介して対称形のハート形の円弧状の山形に形成された請求項１〜３のいずれかに記載の把手付包装箱。
【請求項５】
把手部（１６ａ），（１６ｂ）の把手孔（１７ａ），（１７ｂ）の上端内周が下向きに円弧状の単一の山形又は複数の円弧状に連続する波形に形成された請求項１〜４のいずれかに記載の把手付包装箱。
【考案の詳細な説明】
【技術分野】
【０００１】
この考案は、主に酒類や茶等の液体の瓶詰商品その他の比較的重量のある飲食物等を収容するのに適した把手付包装箱に関する。
【背景技術】
【０００２】
従来例えば葬式の会葬返礼品等には、瓶詰の酒，茶等の飲料や果物等の比較的重量のあるものを把手付の包装箱に詰めて手渡すことが多い。この場合の箱として図５，図６に示すように直方体状箱の本体５１の前後壁の上端に屋根形に折曲げて突合わされる天板５２と、各天板５２の上端に把手孔５３付のゲート状の把手５４が重ね合わされて直立し、一方の把手５４の把手孔５３の内側を切残して他方の把手孔５３を通し、他の天板上に突出させて重ね合わせて係止爪で係止し又は接着シール等で止めるカバー部５６を設けたものが知られている。
また同様のゲート形の把手は特許文献１に示すように公知である。
【先行技術文献】
【特許文献】
【０００３】
【特許文献１】実開平６−７２８２７号公報（図４）
【考案の概要】
【考案が解決しようとする課題】
【０００４】
しかし、上記カバー部はカバー部と天板に設けた爪と爪孔の係止や接着シール等で箱の閉蓋を保持するものであるが、収容物が重く且つ瓶や果物等は内部の安定性が乏しいため、持運び時に手の動作や箱に加わる衝撃、振動等により、カバー部を天板に止める係止爪の外れやシールの剥離によって天板が開く欠点がある。また上記に示されるゲート状の把手はゲート形の中央が破断する等の問題があった。
【課題を解決するための手段】
【０００５】
上記課題を解決するための本考案の包装箱は、第１に平面視平行に相対する前後壁３ａ，３ｂを含む周壁と底板９とを連設して角筒状の本体部２を折曲げ形成し、上記前後壁３ａ，３ｂの上端に内向きに折曲げられて本体部２の上部を覆う天板１３ａ，１３ｂを連設し、各天板１３ａ，１３ｂの先端に上向きに折曲げ形成されて重ね合わせられる把手孔１７ａ，１７ｂ付の把手１６ａ，１６ｂを備え、上記把手１６ａ，１６ｂの一方の把手孔１７ｂの下側の基端部を切残して組立時に他方の把手孔１７ａの基端部に挿通されるカバー部１８を設けた把手付包装箱であって、上記カバー部１８の挿通時にカバー部１８の基端部両端が上記他方の把手孔１７ａの基端部に係脱可能に係止される機構としたことを特徴としている。
【０００６】
第２に、カバー部１８を形成する切込線の切残し端を互に内向きに湾曲又は屈曲させてくびれ部１９を形成することによりカバー部１８の基端部側の左右幅を他方の把手孔１７ａの基端部の左右幅より大きく形成して係止部としたことを特徴としている。
【０００７】
第３に、前後の天板１３ａ，１３ｂの上端が山形に屈曲した状態で突合わされ、カバー部１８の切込線の左右の切残し端の間を上記天板の突合せ面と重なる山形の折目１５ｃとし、組立時にカバー部が他方の天板１３ａ，１３ｂの上面に沿って重なり合う構造としたことを特徴としている。
【０００８】
第４に、カバー部１８に対して一方の把手部１６ｂを折曲げた際に、把手孔１７ａ，１７ｂの左右の内周縁とカバー部１８の左右の外周縁の外形が、切込線の終端を介して対称形のハート形の円弧状の山形に形成されたことを特徴としている。
【０００９】
第５に、把手部１６ａ，１６ｂの把手孔１７ａ，１７ｂの上端内周が下向きに円弧状の単一の山形又は複数の円弧状に連続する波形に形成されたことを特徴としている。
【考案の効果】
【００１０】
以上のように構成される本考案によれば、カバー部を他方側の把手孔に挿通して組立てた状態で、カバー部の基端部のくびれ部分が上記把手孔の基端部に嵌り込んで係止されるため、カバー部自体により前後の把手同士、すなわち天板同士が衝撃や振動等に対して耐久性を維持し、組立状態を保つことができる。またカバー部と把手側の基端部をハート形のくびれ部に形成することによりファッション性も優れたものになる。
【００１１】
また把手の持ち手も把手孔内の上部が下向きの山形に形成されることにより、持ち易く且つ上記衝撃等による破断も防止できる効果がある。
【図面の簡単な説明】
【００１２】
【図１】本考案の包装箱の全体斜視図である。
【図２】同じく包装箱の正面図である。
【図３】包装箱の側面図である。
【図４】包装箱の展開図である。
【図５】従来の包装箱の正面図である。
【図６】従来の包装箱の側面図である。
【考案を実施するための形態】
【００１３】
図１〜図４は本考案の１実施例で、この例では、箱１の本体部２は、左右幅１４０ｍｍ，前後幅６５ｍｍ，高さ１０５ｍｍ程度のサイズを備えた紙箱である。上記本体部２は図４に示すように前後壁３ａ，３ｂ，左右の側壁４ａ，４ｂとからなる周壁を備え、後壁３ｂと右側壁４ｂは接合部（のりしろ部）６を介して筒状に一体接合されている。尚、図４における各折目の内、実線で表したものは山線の折目、鎖線で表したものは谷線の折目である。
【００１４】
各側壁の下端にはそれぞれ底板片７ａ，７ｂ，８ａ，８ｂが折曲げ可能に連設され、前後の底板片７ａ，７ｂは左右の底板片８ａ，８ｂのいずれかと一部重なり合って折畳み可能に接着連結され、押広げられた状態で長方形の底板９を形成する。
【００１５】
この例では、前後の底板片７ａ，７ｂの一側端に折曲げ可能に延設された台形状の山形に形成された連結片１１ａ，１１ｂの内面が、同じく台形状の山形に形成された左右の底板片８ａ，８ｂの外面ののりしろ１２ａ，１２ｂに接着されて連結されている。
【００１６】
この構成により前底板片７ａと右底板片８ｂ、後底板片７ｂと左底板片８ａとが連結され、本体部２の内側に向って折畳まれ、箱１は扁平状態に折畳まれる。本体部１の周壁と底板９のこれらの構成と機能は既に多用されている公知技術なので詳細は割愛する。
【００１７】
前記前後壁３ａ，３ｂの上端には、蓋を兼ねたフラップ状の前後の天板１３ａ，１３ｂが前後に折曲げ可能に連設され、両天板１３ａ，１３ｂ間は連結カバー１４ａ，１４ｂによって内側に向って折曲げ可能に連結されている。箱１の組立状態では、図１，図３，図４に示すように各連結カバー１４ａ，１４ｂは中心方向に向かう５本の折目によって角錐状に折畳まれ、前後の天板１３ａ，１３ｂも側面視で三角屋根状に上端が突合わされ、その左右の両側端は上記連結カバー１４ａ，１４ｂによって塞がれている。
【００１８】
上記前後の天板１３ａ，１３ｂの上端にはゲート状の把手１６ａ，１６ｂが、組立時には直立して互に前後で重なり合うように、折目１５ａ，１５ｂを介して折曲げ可能に連設されている。
【００１９】
上記把手１６ａ，１６ｂはそれぞれ同一外形で正面視Ｍ字形に形成されるように、内側に把手孔１７ａ，１７ｂが打抜き（切抜き）形成され、ゲート状の形になっている。
【００２０】
各把手孔１７ａ，１７ｂは共に底辺が直線状で、左右両端は上下共に円弧状に、上辺は円弧状に下向きの山形を形成しており、ゲート状の中央が把持し易く且つ破断強度が補強されている。この例では中央の上下幅が２５ｍｍ，左右の最も狭い位置の上下幅が２０ｍｍ程度のサイズに形成されている。上記把手孔１７ａ，１７ｂの上部内周は単一の山形のアール面のほか、サインカーブ状の波形にすることもできる。
【００２１】
そして後側把手１６ｂの把手孔１７ｂは、直線状の底辺部の両端で互に湾曲（又は屈曲）して内向きに向き合った切込線間を切残した半抜き状のカバー部１８を切残し形成している。この切残し部分は把手１６ｂの基端の折目１５ｂと同一線上に重なる山線の折目１５ｃを形成し、カバー部１８は、組立時には図１〜図３に示すように前把手１６ａの把手孔１７ａの底辺に沿って前側に挿通され、折目１５ｃによって山形に折曲げられて前天板１３ａの上端側中央に重なるようにカバーする。
【００２２】
この時、カバー部１８の基端部の左右両端は、内向き湾曲して向き合っている結果、カバー部１８を前側に折曲げた状態では、正面視ハート形又はＶ字形のくびれ部１９を形成しているので（図１，図２参照）、このくびれ部１９が前把手孔１７ａの両端で前側把手１６ａの内側両端に係止され、前後の天板１３ａ，１３ｂの上端は屋根形に突き合された状態で係止されてその組立形状を強固に保持し且つ前後の把手１６ａ，１６ｂも互に重なり合っている。２１は前天板１３ａの上端中央の表面に重なり合ったカバー部１８を必要に応じて前天板１３ａ上に仮付固定する接着シールである。
【符号の説明】
【００２３】
２    本体部
３ａ  前壁
３ｂ  後壁
９    底板
１３ａ  前天板
１３ｂ  後天板
１５ａ，１５ｂ，１５ｃ  折目
１６ａ  前把手
１６ｂ  後把手
１７ａ，１７ｂ  把手孔
１８    カバー部
１９    くびれ部（係止部）
【図１】
0003220973.tif 000003
【図２】
0003220973.tif 000004
【図３】
0003220973.tif 000005
【図４】
0003220973.tif 000006
【図５】
0003220973.tif 000007
【図６】
0003220973.tif 000008